(57)【要約】【課題】テレビ用デジタル・エンコーダで２つの異なったクロックを用いる方法および装置。【解決手段】方法および装置は２７ＭＨｚ以外入力クロック周波数を有する電子装置で撮られたビデオを２つの異なったクロック周波数を用いて符号化してテレビで再生することを可能にする。方法はリサンプリング・モジュールで輝度データおよび色差データをリサンプルし、２７ＭＨｚクロック領域における輝度データおよび色差データをビデオ取り込み装置の入力クロックの２７ＭＨｚ以外の領域にあるように変換することを含む。方法はまた入力クロック領域のリサンプルされた色差データを入力クロックで駆動される色副搬送波信号により変調することも含む。方法はさらに変調されリサンプルされた色差データおよびリサンプルされた輝度データを組み合わせ、組み合わされた変調され、組み合わされた輝度データをアナログ信号に変換することを含む。【選択図】図２
2008072712.tif 000002
【特許請求の範囲】
【請求項１】
２つのクロック周波数を用いてデジタル・ビデオ・データを符号化することができる符
号化装置で、
２７ＭＨｚ以外のクロック周波数で作動する入力クロックと、
前記入力クロックから２７ＭＨｚクロックを生成するよう構成された位相ロック・ルー
プモジュール（ＰＬＬ）と、
前記デジタル・ビデオ・データを表す輝度データおよび色差データを２７ＭＨｚクロッ
ク領域から前記入力クロックのクロック領域に変換するリサンプリング・モジュールと、
前記入力クロックで駆動され、色副搬送波信号を生成する色副搬送波信号ジェネレータ
で、前記リサンプリング・モジュールからの前記色差データは前記色副搬送波信号により
変調され、変調された色差データは最終的に前記リサンプリング・モジュールからの前記
輝度データと組み合わされる、色副搬送波信号ジェネレータと、
最終的に前記リサンプリング・モジュールからの前記輝度データと組み合わされる、前
記変調された色差データをアナログ信号に変換するデジタル−アナログ変換器（ＤＡＣ）
と、を含む装置。
【請求項２】
前記リサンプリング・モジュールはさらに、
２m個のアドレスを有するデマルチプレクサで、ｍは＞２であり、前記デマルチプレク
サは輝度データまたは色差データおよびアドレス信号をｍビット整数カウンタから受信し
、前記ｍビット整数カウンタは前記ＰＬＬで駆動される、デマルチプレクサと、
前記デマルチプレクサに接続され、前記デマルチプレクサの２m個のアドレスに書き込
まれたデータを格納する２m個のバッファで、２m個のバッファはフリップ・フロップまた
は他のメモリ・セルでできており、各バッファは前記ＰＬＬからクロック信号を受信する
、バッファと、
２m個のアドレスを有するマルチプレクサで、２m個のバッファに接続され２m個のバッ
ファに格納された２m個のデータをマージし、３２ビットアキュムレータから３ビット整
数ｎを受信してアドレスｎおよびアドレスｎ＋１に格納される２つの連続データを生成す
るマルチプレクサと、
前記マルチプレクサに接続された前記３２ビットアキュムレータに接続される線形補間
器で、前記輝度データまたは前記色差データを入力クロック領域に補間する線形補間器と
、を含む、請求項１に記載される符号化装置。
【請求項３】
前記リサンプリング・モジュールはさらに、
前記マルチプレクサに接続された２つのデータ・バッファで、前記２つのデータ・バッ
ファは前記輝度データおよび前記色差データの連続データを受信するよう構成され、前記
２つのデータ・バッファは前記入力クロックのクロック信号により駆動され、前記線形補
間器に入力データを提供するデータ・バッファと、を含む、請求項２に記載される符号化
装置。
【請求項４】
前記リサンプリング・モジュールは前記輝度データ、前記色差データのＵ成分、および
前記色差データのＶ成分を別個にかつ同時に扱う回路を有する、請求項１に記載される符
号化装置。
【請求項５】
前記色副搬送波信号ジェネレータは、入力クロック周波数に基づくサイン値およびコサ
イン値を生成して前記リサンプリング・モジュールからの前記色差データのＵ成分および
Ｖ成分を変調する１段の離散時間型発振器である、請求項１に記載される符号化装置。
【請求項６】
前記符号化装置はグラフィック処理装置に組み入れられる、請求項１に記載される符号
化装置。
【請求項７】
前記入力クロックは約１８ＭＨｚと約２６ＭＨｚとの間のクロック周波数を有する、請
求項１に記載される符号化装置。
【請求項８】
前記入力クロック周波数は２６ＭＨｚである、請求項１に記載される符号化装置。
【請求項９】
前記符号化装置はＮＴＳＣ方式およびＰＡＬ方式の規格双方をサポートする、請求項１
に記載される符号化装置。
【請求項１０】
さらに、
前記輝度データおよび前記色差データをフィルタする複数のフィルタと、
前記ＰＬＬにより生成された前記クロック信号により前記輝度データにタイミング制御
を加えるタイミング制御ジェネレータと、
前記色差データにカラーバースト制御を加えるカラーバースト制御ジェネレータで、前
記カラーバースト制御ジェネレータは前記輝度データの前記タイミング制御と同期化され
、タイミング制御およびカラーバースト制御が加えられた前記輝度データおよび前記色差
データは前記リサンプリング・モジュールで拡張された前記輝度データおよび前記色差デ
ータを提供するカラーバースト制御ジェネレータと、を含む、請求項１に記載される符号
化装置。
【請求項１１】
２つのクロック周波数を用いてビデオ取り込み装置で取り込まれたデジタル・ビデオ・
データを符号化することができる方法で、
リサンプリング・モジュールで輝度データおよび色差データをリサンプルし、２７ＭＨ
ｚクロック領域の前記輝度データおよび前記色差データを前記ビデオ取り込み装置の入力
クロックの２７ＭＨｚ以外の入力クロック領域に変換するステップと、
前記入力クロック領域のリサンプルされた色差データを前記入力クロックにより駆動さ
れる色副搬送波信号で変調するステップと、
リサンプルされ、変調された前記色差データとリサンプルされた前記輝度データを組み
合わせるステップと、
組み合わされ、変調され、リサンプルされた前記色差データおよびリサンプルされた前
記輝度データをアナログ信号に変換するステップと、を含む方法。
【請求項１２】
さらに、
リサンプリングの前に前記輝度データおよび前記色差データをフィルタするステップと
、
フィルタリング後でリサンプリング前に２７ＭＨｚクロックにより前記輝度データにタ
イミング制御を加えるステップで、前記２７ＭＨｚクロックは前記入力クロックで駆動さ
れる位相ロック・ループ（ＰＬＬ）により生成されるステップと、
フィルタリング後およびリサンプリング前に前記色差データにカラーバースト制御を加
えるステップで、前記カラーバースト制御は前記輝度データの前記タイミング制御と同期
化されるステップと、を含む、請求項１１に記載される方法。
【請求項１３】
前記輝度データおよび前記色差データをリサンプリングするステップは線形補間、帯域
制限された補間、および多相フィルタリングからなるグループから選ばれた方法で行なわ
れる、請求項１１に記載される方法。
【請求項１４】
前記輝度データおよび色差データをリサンプリングするステップはデマルチプレクサと
、２m個のバッファと、３２ビットアキュムレータに接続されたマルチプレクサと、線形
補間器を通して行なわれ、前記輝度データおよび前記色差データを前記２７ＭＨｚクロッ
ク領域から前記入力クロック領域に変換する、請求項１１に記載される方法。
【請求項１５】
ｍは３である、請求項１４に記載される方法。
【請求項１６】
バッファの数はジッタの度合いに従い増加する、請求項１４に記載される方法。
【請求項１７】
前記デマルチプレクサは３ビット整数カウンタに接続され、前記マルチプレクサは前記
３２ビットアキュムレータの３ビット整数ジェネレータに接続され、前記３ビット整数カ
ウンタは前記３２ビットアキュムレータより３クロック・サイクル早い、請求項１４に記
載される方法。
【請求項１８】
前記輝度データおよび前記色差データをリサンプリングするステップは前記輝度データ
、前記色差データのＵ成分、および前記色差データのＶ成分を別個にかつ同時に扱う、請
求項１１に記載される方法。
【請求項１９】
前記色副搬送波信号は前記リサンプリング・モジュールからの前記色差データのＵ成分
およびＶ成分を変調するために用いられるサインおよびコサイン値である、請求項１１に
記載される方法。
【請求項２０】
前記入力クロック周波数は約２６ＭＨｚである、請求項１１に記載される方法。
【請求項２１】
前記方法はＮＴＳＣ方式およびＰＡＬ方式の規格双方をサポートする、請求項１１に記
載される方法。
【発明の詳細な説明】
【技術分野】
【０００１】
この出願は、２つのクロック周波数を用いてデジタル・ビデオ・データを符号化するこ
とができる符号化装置および２つのクロック周波数を用いてビデオ取り込み装置で取り込
まれたデジタル・ビデオ・データを符号化することができる方法に関連する。
【背景技術】
【０００２】
テレビビジョン（テレビ）は幅広く使用される家庭用電子装置である。テレビ放送のプ
ロセスはある「情景」における異なる光の値の変化が光の値の変化に対応するようにカメ
ラにより変換されると達成される。これらの電圧および電流の変化はビデオ信号を形成す
る。「情景」はビデオ信号の形で受信機に伝送される。受信機においてビデオ信号はテレ
ビの画面上で再組立された画像になる。
【０００３】
テレビ信号は標準アナログ形式で伝送される。テレビ用エンコーダはデジタル・ビデオ
・データを標準アナログ・ベースバンド・テレビ信号に変換する。テレビ用エンコーダは
３つの規格に従っている。１つは全国テレビジョン方式委員会（ＮＴＳＣ）規格（以降、
ＮＴＳＣ方式という）で、米国および日本などの国々で採用されている。２つ目は位相入
れ替えライン（ＰＡＬ）規格（以降、ＰＡＬ方式という）で、ヨーロッパ各国の殆どで採
用されている。３つ目は順次式カラー・メモリ（ＳＥＣＡＭ）規格（以降、ＳＥＣＡＭ方
式という）で、ヨーロッパおよびアジアのいくつかの国で採用されている。２７ＭＨｚク
ロックはＰＡＬ方式およびＮＴＳＣ方式の双方のテレビ画面でライン毎に整数の（または
完全な）サイクル数を提供するのでテレビおよびビデオ・レコーダの殆どは２７ＭＨｚク
ロックを用いている。２７ＭＨｚクロックは離散時間型発振器およびテレビ帯域幅の要件
を満足する。
【０００４】
【特許文献１】米国特許出願公開第２００６００１２７１２号明細書
【発明の開示】
【発明が解決しようとする課題】
【０００５】
上述のように、２７ＭＨｚの周波数はＰＡＬ方式およびＮＴＳＣ方式の双方でライン毎
に整数の（または完全な）サイクル数を提供し、離散時間型発振器およびテレビ帯域幅の
要件を満足するので、テレビ用エンコーダの入力クロック（以降、ＣＬＫＩという）は通
常２７ＭＨｚで作動する。ライン毎の整数サイクル数は回路論理の実施を簡単にする。論
理回路は容易に正確なテレビ・タイミングを生成ことができる。しかし携帯電話など新た
に開発されたビデオ取り込み装置がより普及してきている。これらのビデオ取り込み装置
は２７ＭＨｚクロックの入力クロックを有しない。例えば、携帯電話は２７ＭＨｚの代わ
りに２６ＭＨｚで作動する入力クロックを有する。これらの新規装置で取り込まれたビデ
オをテレビで再生することが望ましいかもしれない。
【０００６】
これらのビデオをテレビで再生するには、まずビデオを符号化する必要がある。従って
新規装置には２７ＭＨｚ以外の入力クロック周波数で撮られたビデオを符号化し、テレビ
で再生するためにテレビ用エンコーダが必要となる。
【課題を解決するための手段】
【０００７】
おおまかに言って、本発明はビデオの符号化に２つの異なるクロック周波数を用いる方
法および装置を提供することによりこれらの必要を満たす。方法および装置は２７ＭＨｚ
以外の入力クロック周波数を有する電子装置で撮られたビデオをテレビで再生するように
符号化することを可能にする。本発明はプロセス、装置、システム、デバイス、または方
法を含み多数の方法で実施できることが理解されよう。本発明の創意に富む実施形態をい
くつか以下に説明する。
【０００８】
一実施形態で、２つのクロック周波数を用いてデジタル・ビデオ・データを符号化する
ことができる符号化装置が提供される。装置は２７ＭＨｚ以外のクロック周波数で作動す
る入力クロック、および入力クロックから２７ＭＨｚクロックを生成するよう構成される
位相ロック・ループ（ＰＬＬ）を含む。装置はさらにデジタル・ビデオ・データを表す輝
度データおよび色差データを２７ＭＨｚクロック領域から入力クロックのクロック領域に
変換するリサンプリング・モジュールを含む。装置はさらに入力クロックに駆動され色副
搬送波信号を発生させる色副搬送波信号ジェネレータを含み、色副搬送波信号によりリサ
ンプリング・モジュールからの色差データが変調され、変調された色差データは最終的に
リサンプリング・モジュールからの輝度データと組み合わされる。さらに、装置は最終的
にリサンプリング・モジュールからの輝度データと組み合わされアナログ信号となる変調
された色差データを変換するデジタル−アナログ変換器（以降、ＤＡＣという）を含む。
【０００９】
別の実施形態で、２つの異なるクロック周波数を用い、ビデオ取り込み装置により取り
込まれたビデオ符号化することができる方法が提供される。方法はリサンプリング・モジ
ュールで輝度データおよび色差データをリサンプリングしてビデオ取り込み装置の入力の
２７ＭＨｚクロック領域における輝度データおよび色差データを２７ＭＨｚ以外の入力ク
ロック領域にすることを含む。方法はさらに入力クロック領域におけるリサンプリング色
差データを入力クロックに駆動される色副搬送波信号で変調することを含む。方法はさら
に変調されたリサンプリング色差データおよびリサンプリング輝度データを組み合わせ、
組み合わされた変調リサンプリング色差データおよびリサンプリング輝度データをアナロ
グ信号に変換することを含む。
【００１０】
本発明に係る２つのクロック周波数を用いてデジタル・ビデオ・データを符号化するこ
とができる符号化装置は、２７ＭＨｚ以外のクロック周波数で作動する入力クロックと、
前記入力クロックから２７ＭＨｚクロックを生成するよう構成された位相ロック・ループ
（ＰＬＬ）と、前記デジタル・ビデオ・データを表す輝度データおよび色差データを２７
ＭＨｚクロック領域から前記入力クロックのクロック領域に変換するリサンプリング・モ
ジュールと、前記入力クロックで駆動され、色副搬送波信号を生成する色副搬送波信号ジ
ェネレータで、前記リサンプリング・モジュールからの前記色差データは前記色副搬送波
信号により変調され、変調された色差データは最終的に前記リサンプリング・モジュール
からの前記輝度データと組み合わされる、色副搬送波信号ジェネレータと、最終的に前記
リサンプリング・モジュールからの前記輝度データと組み合わされる、前記変調された色
差データをアナログ信号に変換するデジタル−アナログ変換器（ＤＡＣ）と、を含む。
【００１１】
また、前記リサンプリング・モジュールはさらに、２m個のアドレスを有するデマルチ
プレクサで、ｍは＞２であり、前記デマルチプレクサは輝度データまたは色差データおよ
びアドレス信号をｍビット整数カウンタから受信し、前記ｍビット整数カウンタは前記Ｐ
ＬＬで駆動される、デマルチプレクサと、前記デマルチプレクサに接続され、前記デマル
チプレクサの２m個のアドレスに書き込まれたデータを格納する２m個のバッファで、２m
個のバッファはフリップ・フロップまたは他のメモリ・セルでできており、各バッファは
前記ＰＬＬからクロック信号を受信する、バッファと、２m個のアドレスを有するマルチ
プレクサで、２m個のバッファに接続され２m個のバッファに格納された２m個のデータを
マージし、３２ビットアキュムレータから３ビット整数ｎを受信してアドレスｎおよびア
ドレスｎ＋１に格納される２つの連続データを生成するマルチプレクサと、前記マルチプ
レクサに接続された前記３２ビットアキュムレータに接続される線形補間器で、輝度デー
タまたは色差データを入力クロック領域に補間する線形補間器と含むものでもよい。
【００１２】
前記リサンプリング・モジュールはさらに、前記マルチプレクサに接続された２つのデ
ータ・バッファで、前記２つのデータ・バッファは前記２つの連続データを受信するよう
構成され、前記２つのデータ・バッファは前記入力クロックのクロック信号により駆動さ
れ、前記線形補間器に入力データを提供するデータ・バッファと、を含むものでもよい。
【００１３】
前記リサンプリング・モジュールは輝度データ、前記色差データのＵ成分、および前記
色差データのＶ成分を別個にかつ同時に扱う回路を有するものでもよい。
【００１４】
前記色副搬送波信号ジェネレータは、入力クロック周波数に基づくサイン値およびコサ
イン値を生成して前記リサンプリング・モジュールからの前記色差データのＵ成分および
Ｖ成分を変調する１段の離散時間型発振器であるものでもよい。
【００１５】
前記符号化装置はグラフィック処理装置に組み入れられるものでもよい。
【００１６】
前記入力クロックは約１８ＭＨｚと約２６ＭＨｚとの間のクロック周波数を有するもの
でもよい。
【００１７】
前記入力クロック周波数は２６ＭＨｚであるものでもよい。
【００１８】
前記符号化装置はＮＴＳＣ方式およびＰＡＬ方式の規格双方をサポートするものでもよ
い。
【００１９】
さらに、輝度データおよび色差データをフィルタする複数のフィルタと、前記ＰＬＬに
より生成された前記クロック信号により前記輝度データにタイミング制御を加えるタイミ
ング制御ジェネレータと、前記色差データにカラーバースト制御を加えるカラーバースト
制御ジェネレータで、前記カラーバーストは前記輝度データの前記タイミング制御と同期
化され、タイミング制御およびカラーバースト制御が加えられた前記輝度データおよび前
記色差データは前記リサンプリング・モジュールで拡張された前記第１の数のデータおよ
び前記第２の数のデータを提供する、カラーバースト制御ジェネレータと、を含むもので
もよい。
【００２０】
本発明に係る２つのクロック周波数を用いてビデオ取り込み装置で取り込まれたデジタ
ル・ビデオ・データを符号化することができる方法は、リサンプリング・モジュールで輝
度データおよび色差データをリサンプルし、２７ＭＨｚクロック領域の前記輝度データお
よび前記色差データを前記ビデオ取り込み装置の入力クロックの２７ＭＨｚ以外の入力ク
ロック領域に変換するステップと、前記入力クロック領域のリサンプルされた色差データ
を前記入力クロックにより駆動される色副搬送波信号で変調するステップと、リサンプル
され、変調された前記色差データとリサンプルされた前記輝度データを組み合わせるステ
ップと、組み合わされ、変調され、リサンプルされた前記色差データおよびリサンプルさ
れた前記輝度データをアナログ信号に変換するステップと、を含む。
【００２１】
さらに、リサンプリングの前に前記輝度データおよび前記色差データをフィルタするス
テップと、フィルタリング後でリサンプリング前に２７ＭＨｚクロックにより前記輝度デ
ータにタイミング制御を加えるステップで、前記２７ＭＨｚクロックは前記入力クロック
で駆動される位相ロック・ループ（ＰＬＬ）により生成されるステップと、フィルタリン
グ後およびリサンプリング前に前記色差データにカラーバースト制御を加えるステップで
、前記カラーバーストは前記輝度データの前記タイミング制御と同期化されるステップと
、を含むものでもよい。
【００２２】
前記輝度データおよび前記色差データをリサンプリングするステップは線形補間、帯域
制限された補間、および多相フィルタリングからなるグループから選ばれた方法で行なわ
れるものでもよい。
【００２３】
前記輝度データおよび色差データをリサンプリングするステップはデマルチプレクサと
、２m個のバッファと、３２ビットアキュムレータに接続されたマルチプレクサと、線形
補間器を通して行なわれ、輝度データおよび色差データを前記２７ＭＨｚクロック領域か
ら前記入力クロック領域に変換するものでもよい。
【００２４】
ｍは３であってもよい。バッファの数はジッタの度合いに従い増加するものでもよい。
【００２５】
前記デマルチプレクサは３ビット整数カウンタに接続され、前記マルチプレクサは前記
３２ビットアキュムレータの３ビット整数ジェネレータに接続され、前記３ビット整数カ
ウンタは前記３２ビットアキュムレータより３クロック・サイクル早いものでもよい。
【００２６】
前記輝度データおよび前記色差データをリサンプリングするステップは輝度データ、前
記色差データのＵ成分、および前記色差データのＶ成分を別個にかつ同時に扱うものでも
よい。
【００２７】
前記色副搬送波信号は前記リサンプリング・モジュールからの前記色差データのＵ成分
およびＶ成分を変調するために用いられるサインおよびコサイン値であってもよい。
【００２８】
前記入力クロック周波数は約２６ＭＨｚであってもよい。
【００２９】
前記方法はＮＴＳＣ方式およびＰＡＬ方式の規格双方をサポートするものでもよい。
【００３０】
本発明の利点は発明の原理を例示する添付図面と併せ、以下の詳細な説明により明らか
になるであろう。
【発明を実施するための最良の形態】
【００３１】
本発明は添付図面と併せて以下の詳細な説明により容易に理解されよう。図面中類似し
た参照番号は類似した構成要素を示す。以下の説明において、本発明の充分な理解を与え
るために多数の具体的な詳細が記述される。しかし、当業者であれば、本発明はこれら具
体的な詳細のいくつかがなくても実施できることを理解しよう。逆に、発明を不必要に分
かりにくくしないよう周知のプロセス手順および実施の詳細は詳しく説明していない。
【００３２】
図１はＮＴＳＣ方式およびＰＡＬ方式のテレビ規格に必要な入力輝度および色差（Ｙ、
Ｕ、Ｖ）データを符号化する代表的なテレビジョン（テレビ）用エンコーダ１００の代表
的な実施形態を示す。エンコーダの出力データはアナログ信号を出すために１０ビットの
デジタル−アナログ変換器（以降、ＤＡＣという）を駆動する１０ビットのＳ−ビデオ（
分離ビデオ）またはコンポジット・ビデオである。
【００３３】
入力のＹ（輝度）成分はまず、入力がコンポジット・ビデオの場合はノッチ・フィルタ
または入力がＳ−ビデオの場合はローパス・フィルタとしてのノッチ／ローパス・フィル
タ１０１を通過する。ノッチ・フィルタは狭い帯域の周波数を遮断し、その帯域の上と下
の周波数を通す。これは輝度データからの色副搬送波信号の周波数の信号を除去するのに
用いることができ、最終的にコンポジット・ビデオの復号化されたビデオ画質を向上させ
る。ローパス・フィルタはＮＴＳＣ方式およびＰＡＬ方式で用いられる２×オーバーサン
プリングの結果、生成される高周波成分（６ＭＨｚを越える）を遮断するのに用いること
ができる。色差または色としてのＵ成分、Ｖ成分はまず、ローパス・フィルタ１０２，１
０３を通過し、これはリンギングおよびオバーシュートを最小限にし、鋭いエッジにおい
て視覚的アーティファクトが生じるのを避ける。Ｕ成分、Ｖ成分は約１．３ＭＨｚにまで
フィルタされる。色差成分用のローパス・フィルタ１０２，１０３は通常ガウス・フィル
タである。ローパス・フィルタ１０２，１０３は１つのフィルタに一体化することもでき
る。
【００３４】
タイミング／制御ジェネレータ１０５からのタイミング情報が次にフィルタされたＹデ
ータに加算器１０６を通して挿入される。挿入されたタイミング情報によりエンコーダ・
ビデオ・データはテレビ画面に正確に再組立される。マルチプレクサ１０８，１０９を通
してカラーバースト制御ジェネレータ１０７からのカラーバースト情報がフィルタされた
Ｕデータ、Ｖデータに加えられ、色基準を提供する。色差データのカラーバーストは接続
１１１を通して輝度データと同期化される。各ラインの初めに入力クロック（以降、ＣＬ
ＫＩという）１５８でカラーバーストを同期化することにより、テレビ受信機は色差信号
の抑圧搬送波を復元し、次に色情報を決定することができる。ＮＴＳＣ方式において、カ
ラーバースト周波数は３．５７９５４５ＭＨｚで位相は１８０°であるのに対し、ＰＡＬ
方式は４．４３３６１８７５ＭＨｚの周波数を用い、位相はライン毎に交互に１３５°と
２２５°になる。
【００３５】
タイミング制御およびカラーバースト制御データがＹデータ、Ｕデータ、Ｖデータに加
えられた後、Ｕデータ、ＶデータはＵ成分を「サイン」値で乗じ（Ｕ＊サイン）、Ｖ成分
を「コサイン」値で乗じて（Ｖ＊コサイン）色副搬送波信号により変調され、乗算器１４
１により合算される。色副搬送波信号のサインおよびコサイン値は色副搬送波信号ジェネ
レータとしての１段の離散時間型発振器１３０により生成される。１段の離散時間型発振
器１３０は３２ビットアキュムレータ１３５ならびにコサインＲＯＭ１３１、サインＲＯ
Ｍ１３２を含む。累積エラーを避けるため３２ビットアキュムレータ１３５はＮＴＳＣ方
式の場合２フレーム毎に、またはＰＡＬ方式の場合４フレーム毎にリセットされる。「サ
イン」および「コサイン」値はサインおよびコサイン表を収容する読み取り専用メモリの
サインＲＯＭ１３２および読み取り専用メモリのコサインＲＯＭ１３１により生成される
。コサインＲＯＭ１３１、サインＲＯＭ１３２は３２ビットアキュムレータ１３５からサ
インＲＯＭ１３２およびコサインＲＯＭ１３１の１１ビット入力値を受信し、正確なサイ
ンおよびコサイン値を生成する。
【００３６】
３２ビットアキュムレータ１３５はレジスタからパラメータ１４０を受信し、これはい
つでもホストにより初期化することができ、または電源投入の際テレビ規格に従って既定
値に設定することができる。パラメータは（Ｆsc／ＦclkDto）＊２32に等しく、Ｆscは色
副搬送波信号の周波数で、ＦclkDtoは１段の離散時間型発振器１３０で用いられるクロッ
クの周波数である。ＦscはＮＴＳＣ方式の場合は、３．５７９５４５ＭＨｚで、ＰＡＬ方
式の場合は、４．４３３６１８７５ＭＨｚである。３２ビットアキュムレータ１３５はフ
リップ・フロップまたは他のメモリ・セルを利用し得るデータ・バッファ１３６および加
算器１３７で１１ビットの入力値を生成する。データ・バッファ１３６は入力を受け入れ
、クロックがストローブすると出力に搬送する。位相ＡｄｊＳｅｌ１３４はタイミング／
制御ジェネレータ１０５から来て、副搬送波の位相調節１３３に特定の位相シフトを選択
するために用いられる。調節はテレビ規格およびタイミングによる。表１はＮＴＳＣ方式
およびＰＡＬ方式用の調節を示す。
【００３７】
【表１】
2008072712.tif 000003
【００３８】
位相調節１３３により、ＮＴＳＣ方式のカラーバーストはＵに対し１８０°の位相シフ
トがあり、一方、ＰＡＬ方式のカラーバーストはＵに対しライン毎に１３５°から２２５
°と交互に位相シフトが変わる。
【００３９】
ＮＴＳＣ方式またはＰＡＬ方式の位相調節１３３は位相ＡｄｊＳｅｌ１３４とともにマ
ルチプレクサ１３８に入力され、サインＲＯＭ１３２およびコサインＲＯＭ１３１に対す
る全体的な位相調節を生成する。マルチプレクサ１３８は全体的な位相調節を生み出し、
加算器１３９に提供し、加算器１３９は３２ビットアキュムレータ１３５により生成され
る１１ビットの間隔値の入力も受け入れる。サインＲＯＭ１３２、コサインＲＯＭ１３１
用に正確な入力値を生成するために３２ビットアキュムレータ１３５の内、１１ビットが
用いられる。
【００４０】
加算器１３９はサインＲＯＭ１３２、コサインＲＯＭ１３１が乗算器１４１，１４２を
用いてＵデータ、Ｖデータを変調する正確なサインおよびコサイン値を生成するために全
体的な入力値を生み出す。サインおよびコサイン値はサインおよびコサイン波の四半分（
π／２）に対する９ビット値および付随する符号ビットにより表すことができる。９ビッ
ト値および付随する符号ビットは全体のサインおよびコサイン波を表すために用いること
ができる。変調されたＵデータ、Ｖデータは次に加算器１４３により合算され、全体的な
変調色差データを生み出し、これはデータ・バッファ１４６および加算器１４４に提供さ
れ、輝度データと合わせてコンポジット・データを生み出す。データ・バッファ１４６は
フリップ・フロップまたは他のメモリ・セルを実装することができるが、ＤＡＣ１４８が
デジタル・データをアナログ信号に変換するために１クロックまるごとを与える。輝度デ
ータ、コンポジット・データ、およびＳ−ビデオまたはコンポジット・ビデオの抜粋が一
緒にマルチプレクサ１４５に送り込まれ、次にデータ・バッファ１４７に送り込まれる。
同様にデータ・バッファ１４７はＤＡＣ１４９がデジタル・データをアナログ信号に変換
するために１クロックまるごとを与える。色差データおよび輝度データはコンポジット・
データと併せてＤＡＣ１４８，１４９によりアナログ信号のＹ／コンポジット出力１２０
、色差出力１２５に変換され、テレビ用デコーダに伝送される。
【００４１】
色副搬送波信号はＣＬＫＩ１５８から直接導き出され、クロックは発振器などのクロッ
ク・モジュールにより生成されテレビ用エンコーダ向けに通常２７ＭＨｚにある。ＣＬＫ
Ｉ１５８のクロック・ジッタまたは周波数の偏差は色副搬送波信号に直接送られ、これは
色副搬送波信号上の色相ノイズをもたらす。周期的または干渉性色相ノイズは復号化され
た画像においてノイズの原因となる微分位相エラーをもたらす可能性がある。テレビの内
部には通常入力副搬送波信号を「ロック」する位相ロック・ループモジュール（以降、Ｐ
ＬＬという）が存在する。ＰＬＬは限定された「ロック」範囲を有する。入力信号が範囲
外の場合、ＰＬＬは入力信号にロックできない。ＣＬＫＩ１５８のより大きい周波数偏差
によりテレビ受信機は副搬送波信号および復号化された画像の色へのロックを失う可能性
がある。従ってＣＬＫＩ１５８は非常に正確でジッタが殆どない状態であるべきである。
【００４２】
上述のとおり、テレビ用エンコーダ向けのＣＬＫＩ１５８は通常２７ＭＨｚで作動する
。この周波数はＰＡＬ方式およびＮＴＳＣ方式の双方に対しライン毎に整数の（または完
全な）サイクル数を与え、１段の離散時間型発振器およびテレビ帯域幅の要件を満足する
。ライン毎の整数サイクル数は回路論理の実施を容易にする。論理回路は容易に正確なテ
レビ・タイミングを生成することができる。しかし、携帯電話など新規に開発されたビデ
オ取り込み装置は２７ＭＨｚで作動する入力クロックを有しない。例えば携帯電話は２７
ＭＨｚの代わりに２６ＭＨｚで作動する入力クロックを有する。
【００４３】
２７ＭＨｚ以外の入力クロックを有する装置で取り込んだデジタル・ビデオ・データを
標準アナログ・ベースバンド（ＮＴＳＣ方式／ＰＡＬ方式）のテレビ信号に変換する場合
、１つの可能な解決法は装置の印刷回路基板（ＰＣＢ）にあらたにクリスタル系の２７Ｍ
Ｈｚクロックを加えることである。しかしあらたにクリスタル系の２７ＭＨｚクロックを
加えることは生産コストを増加させ携帯電話など空間的余裕が制限されるビデオ取り込み
装置上の貴重な空間を消費する。別の解決法はオンチップの位相ロック・ループ（ＰＬＬ
）を用いて２７ＭＨｚクロックを生成しビデオを符号化することである。ＰＬＬは生成さ
れた信号を基準信号に対し固定位相関係に維持する、閉じたループのフィードバック制御
システムである。ＰＬＬは例えば２６ＭＨｚといった周波数のクロックを２７ＭＨｚクロ
ックに変換することができ、クロック・ジェネレータとして機能する。しかし、ＰＬＬは
クロック・ジッタを増幅することになり、これは復号化された画像において深刻な色相ノ
イズの原因となる。
【００４４】
上述のように、クロックのジッタまたは周波数偏差は色副搬送波信号に直接送られる。
クロック・サイクル間隔内の大きなジッタは色副搬送波信号上の色相ノイズをもたらす。
従って色副搬送波信号に用いられるクロックは非常に正確でジッタが非常に小さいことが
必要である。消費者および産業用途において、色副搬送波信号用のクロックの最大合計偏
差はＮＴＳＣ方式の場合は５０ｐｐｍ、ＰＡＬ方式の場合は２５ｐｐｍに限定されるべき
である。従って色副搬送波信号に用いられるクロックはクロック・ジッタを増幅するＰＬ
Ｌにより生成されるクロックであるべきではない。色副搬送波信号に用いられるクロック
はクロック・モジュール（例えばクリスタル）により生成される入力クロックなど、ジッ
タの少ないクロックであるべきである。逆にタイミング制御およびカラーバースト制御は
ある程度のクロック・ジッタを許容できる。
【００４５】
図２は２７ＭＨｚ以外の入力クロック周波数を有する装置で撮ったデジタル・ビデオを
符号化するテレビ用エンコーダ２００の代表的な実施形態の図を示す。テレビ用エンコー
ダ２００は携帯電話のグラフィック・エンジン・チップ（または処理装置）上にあること
ができ、または別個のチップであることができる。この実施形態はテレビ用エンコーダ２
００において２つの異なった周波数を有するクロックを用いる簡単な方法を提供する。１
つのクロックは色副搬送波信号ジェネレータとしての１段の離散時間型発振器１３０に用
いられる。他方はタイミング生成およびカラーバースト制御に用いられる。１段の離散時
間型発振器１３０に用いられるクロックはＣｌｋＤｔｏ１５６と呼ばれ、正確度が高くジ
ッタが非常に小さいＣＬＫＩ１５０から来る。従っては非常に正確な色副搬送波信号を生
成することができる。タイミング生成およびカラーバースト制御に用いられるクロックは
Ｃｌｋタイミング１５７と呼ばれ、ＣＬＫＩ１５０に駆動されるＰＬＬ１５５から来る。
ＰＬＬ１５５は２７ＭＨｚクロックを生成する。ＰＬＬ１５５により生成された２７ＭＨ
ｚクロックはＣｌｋＤｔｏ１５６ほど正確でなく、ＣｌｋＤｔｏ１５６よりジッタが大き
く、これはＣＬＫＩ１５０から直接来る。
【００４６】
上述のように、水平な同期化のタイミングは画質を犠牲にせずにより大きいクロック・
ジッタを許容できる。ＰＬＬ１５５を用いて２７ＭＨｚを生成することは偽損のタイミン
グ設計論理を用いることができるので、タイミング設計が簡単になる。本明細書で説明さ
れる実施形態は約１８ＭＨｚから２７ＭＨｚ未満の、または２７ＭＨｚより高いＣＬＫＩ
１５０の周波数をサポートできる。最小限のクロック周波数は副搬送波周波数の４倍以上
でなければならない。ＮＴＳＣ方式の場合、最小限のクロック周波数は３．５７９５４５
×４（または１４．３１８１８）ＭＨｚで、一方ＰＡＬ方式の場合最小限のクロック周波
数は４．４３３６１８７５×４（または１７．７３４４７５）ＭＨｚである。携帯電話の
場合、ＣｌｋＤｔｏ１５６に用いられるＣＬＫＩ１５０は２６ＭＨｚの周波数を有する。
【００４７】
フィルタされたＹデータ、Ｕデータ、Ｖデータはタイミング制御およびカラーバースト
制御をサイン／コサイン変調色副搬送波信号データのクロック（ＣｌｋＤｔｏ１５６）と
は異なったクロック（Ｃｌｋタイミング１５７）で生成して加えられる。Ｃｌｋタイミン
グは２７ＭＨｚで、ＰＬＬ１５５により生成される。１段の離散時間型発振器１３０はＣ
ＬＫＩ１５０を直接用いるＣｌｋＤｔｏ１５６により駆動される。携帯電話などのビデオ
取り込み装置の場合ＣＬＫＩ１５０は２６ＭＨｚのクロック周波数を有する。リサンプリ
ング・モジュール１７０が加えられ、Ｙデータ、Ｕデータ、ＶデータをＣｌｋタイミング
領域（２７ＭＨｚ）からＣｌｋＤｔｏ領域（例えば携帯電話用の２６ＭＨｚ）に渡す。リ
サンプリング・モジュール１７０で実施されるリンサンプリング方法には線形補間、帯域
制限された補間、および多相フィルタリングなど多数ある。
【００４８】
図３はＹデータ１８５のリサンプリング実施の一実施形態を示す。ＵデータおよびＶデ
ータに対しても同様のリサンプリング実施形態および図を描くことができる。図３に示す
実施形態は線形補間を利用している。フィルタされ、タイミングおよびカラーバースト制
御を有するＹデータ１８５はリサンプリング・モジュール１７０に供給される。１０ビッ
トのＹデータ１８５はＰＬＬ１５５により生成された２７ＭＨｚクロックを用いるＣｌｋ
タイミング領域に属する。Ｙデータ１８５はリサンプリング・モジュール１７０によりリ
サンプルされ、２７ＭＨｚ以外のクロック周波数（例えば携帯電話用の２６ＭＨｚ）であ
るＣｌｋＤｔｏ領域のＹデータ１９５になる。一実施形態で、リサンプリング・モジュー
ルは輝度データ、色差データのＵ成分、および色差データのＵ成分を別個かつ同時に扱う
回路を有する。
【００４９】
図３において、Ｙデータ１８５はリサンプリング・モジュール１７０のデマルチプレク
サ１７１に供給される。デマルチプレクサ１７１はアドレス０，１，２，３，４，５，６
，７の８つのデータ・アドレスを有する。デマルチプレクサ１７１はアドレス０〜７にあ
るＹデータ１８５を、バッファ１７２を形成する８つの対応バッファ・アドレスのアドレ
ス０〜７に順次配置する。バッファ１７２はデマルチプレクサ１７１からＹデータ１８５
を、さらにＰＬＬ１５５から２７ＭＨｚクロック信号を受け、タイミングを有するＹデー
タ１８６をマルチプレクサ１７３に提供する。デマルチプレクサ１７１、バッファ１７２
、およびマルチプレクサ１７３におけるアドレス数は４、８、１６等々であって良く、２
m（ｍ＞２）で表すことができる。ＰＬＬ１５５からのジッタが大きくなるとより多く（
またはより高いｍ値）のバッファリング・アドレスを必要とする。マルチプレクサ１７３
はバッファ１７２からのＹデータ１８６と３２ビットアキュムレータ１７４からの３ビッ
ト整数ｎを組み合わせる。一実施形態で、ＦClkTiming／ＦClkDtoの比率と掛けて２６Ｍ
Ｈｚに対応するサンプリング間隔値を進めて線形補間器としての線形補間モジュール１９
０に供給するために３２ビットアキュムレータ１７４の２９ビットが大きな整数（２29ま
たは５３６８７０９１２）の提供に用いられる。３２ビットアキュムレータ１７４はクロ
ック（ＣｌｋＤｔｏ１５６）の経過毎にＦClkTiming／ＦClkDto＊２29増加する。一実施
形態で、ＦClkTiming＝２７ＭＨｚでＦClkDto＝２６ＭＨｚ、３２ビットアキュムレータ
１７４の加算器１７７はクロック毎に５５７５１９７９３増加し、３２ビットアキュムレ
ータ１７４がクロック信号ごとに５５７５１９７９３／５３６８７０９１２進むのに役立
つ。一実施形態で、間隔は２６ＭＨｚクロックに従い０から第１の間隔に進み、これは５
５７５１９７９３／５３６８７０９１２（または１．０３８４６１５３）である。この第
１の間隔に対応するデータはｎ＝１およびｎ＋１＝２に対応するＹデータ間で線形補間さ
れる。正確な補間値および正確な間隔を得るには、正確な間隔値が得られることを保証す
るためにより大きい整数が必要である（例えば１．０３８４６１５３および２．０７６９
２３０７等々）。従って前記大きな整数を生成するために２29が用いられる。マルチプレ
クサ１７３はデータ「ｎ」および「ｎ＋１」をデータ・バッファ１８８，１８９に出力す
る。データ・バッファ１８８，１８９は「ｎ」および「ｎ＋１」に対応するＹデータなら
びに２６ＭＨｚのクロック信号を受け入れる。データ「ｎ」および「ｎ＋１」は線形補間
モジュール１９０に供給され線形補間が行なわれる。線形補間モジュール１９０から出力
されたＹデータ１９５はＣｌｋＤｔｏ１５６領域にあり、図２のマルチプレクサ１４５お
よび加算器１４４に供給される。
【００５０】
図３におけるリセットＡ１８１およびリセットＢ１８２はｍビット整数カウンタとして
の３ビット整数カウンタ１７５および３２ビットアキュムレータ１７４をリセットするた
めに用いられる。線形補間に用いられる前に８つのバッファにあるデータが安定している
ことを保証するために、２つのリセット信号としてのリセットＡ１８１およびリセットＢ
１８２はクロック・ギャップを有するように設計される。データがマルチプレクサ１７３
で読み取られる前にデータがデマルチプレクサ１７１に書き込まれることを保証するため
に３ビット整数カウンタ１７５をリセットするリセットＡ１８１は３２ビットアキュムレ
ータ１７４をリセットするリセットＢ１８２より２または３クロック前に生じる。３ビッ
トのカウンタは常に３２ビットアキュムレータ１７４の整数部分より２または３クロック
前になる。クロック・ギャップは利用可能なバッファ１７２の数により限定される。一実
施形態で、クロック・ギャップはバッファ数の半分未満である（２m／２または２m-1）。
８つのバッファの場合、クロック・ギャップは４未満（または１から３）である必要があ
る。リセットＡ１８１およびリセットＢ１８２は１段の離散時間型発振器１３０のリセッ
ト信号と同じラインで起こるように同期化される。リセットＡ１８１およびリセットＢ１
８２はＮＴＳＣ方式の場合、４フィールド毎に、ＰＡＬ方式の場合、８フィールド毎に起
こる。一実施形態で、すべてのリセットは累積エラーを避けるために垂直非表示期間（Ｖ
ＮＤＰ）の初めに行なわれる。
【００５１】
通常ビデオ・レコーダは２７ＭＨｚで作動するＣＬＫＩ１５０を有する。この周波数は
ＰＡＬ方式（１７２８クロック・サイクル）およびＮＴＳＣ方式（１７１６クロック・サ
イクル）の双方に対しライン毎に整数のサイクル数を提供し、１段の離散時間型発振器１
３０の要件およびテレビ帯域幅の要件を満足する。ライン毎の整数のサイクル数は論理回
路の実施が比較的簡単になり、正確なテレビ・タイミングを生成する。しかし、上述のよ
うに、携帯電話などビデオ取り込み装置のいくつかにおいて入力クロックは２７ＭＨｚで
作動していない。携帯電話用の２６ＭＨｚクロックのように、これら装置上の非２７ＭＨ
ｚのクロックは既に使用可能である。従って既存の非２７ＭＨｚのクロックを利用するエ
ンコーダが望ましい。以下に説明する実施形態において非２７ＭＨｚの入力クロックの例
として携帯電話の２６ＭＨｚクロックを用いるが、発明は２６ＭＨｚクロックを有する装
置のみに限定されるものではない。
【００５２】
携帯電話用の２６ＭＨｚクロックによるＰＡＬ方式ＴＶの実施は、既にライン毎に整数
のクロック・サイクル（１６６４）を有するので、より簡単である。しかしＮＴＳＣ方式
ＴＶの場合ライン毎に約１６５２．４４４（実際の値：１６５２＋４／９）クロック・サ
イクルである。２６ＭＨｚを直接用いる場合、ライン毎に非整数のサイクル数を実施する
問題を解決する必要がある。
【００５３】
以下に説明する実施形態はテレビ用デジタル・エンコーダにおいて２７ＭＨｚクロック
の代わりに２６ＭＨｚなど、ｘＭＨｚ（ｘは２７に等しくない）のクロックを用いる簡単
な方法を提供する。この実施形態は装置上に２７ＭＨｚクロック信号を生成するＰＬＬを
有しないビデオ取り込み装置に適している。図４はリサンプリング・モジュール１７０’
を有するテレビ用エンコーダ４００を示す。この実施形態では２６ＭＨｚクロックを２７
ＭＨｚクロックに変換するためにＰＬＬを必要としない。この実施形態の概念は２６ＭＨ
ｚクロックを有する装置で取り込まれたビデオを拡張してテレビで表示することに焦点を
合わせている。この実施形態はビデオ取り込み装置の電力および空間を消費するＰＬＬを
省略する。テレビ用エンコーダは携帯電話のグラフィック・エンジン・チップ上にあって
も良く、別個のチップであっても良い。
【００５４】
これらの実施形態はテレビ用デジタル・エンコーダにおいてライン毎に非整数のサイク
ル数を実施する簡単な方法を提供する。まずエンコーダは１６５２サイクル／ラインの整
数部分に基づきラインのタイミングを生成する。しかし９番目のライン毎にクロックは４
サイクル分停止され、これにより９つのラインに４クロック・サイクル余分に与える。平
均するとライン毎に約１６５２．４４４クロックがある（正確には１６５２＋４／９）。
しかしテレビ用デコーダは急なライン長の変化を許容しない。従って変化を円滑にするた
めにリサンプリング・モジュール１７０’が必要となる。
【００５５】
図４は２７ＭＨｚ以外の入力クロックを有する装置で撮られたデジタル・ビデオを符号
化するテレビ用エンコーダ４００の代表的な実施形態の図を示す。図４に示す実施形態に
適用されるクロック周波数は約１８ＭＨｚから２７ＭＨｚ未満、または２７ＭＨｚを超え
る範囲にある。この実施形態は携帯電話用の２６ＭＨｚなど、ビデオ取り込み装置の既存
の入力クロックを用いる簡単な方法を提供している。１段の離散時間型発振器１３０なら
びにタイミング生成およびカラーバースト制御に用いられるクロックはＣＬＫＩ１５０で
ある。
【００５６】
タイミング制御およびカラーバースト制御を有するフィルタされたＹデータ、Ｕデータ
、Ｖデータはサイン／コサイン変調値と同じクロックで生成される。データを１６５２サ
イクル／ラインから約１６５２．４４４（正確には１６５２＋４／９）サイクル／ライン
に拡張するにはリサンプリング・モジュール１７０’が必要である。図５はリサンプリン
グ・モジュール１７０’の概略図を示す。図５はＹデータ用の実施の一実施形態を示す。
ＵおよびＶデータ用にも同様の図を描くことができる。リサンプリング・モジュールは輝
度データ、色差データのＵ成分、および色差データのＶ成分を別個かつ同時に扱う回路を
有する。
【００５７】
図５に示す実施形態は線形補間を利用する。フィルタされたデータがリサンプリング・
モジュール１７０’に入る前にスイッチ１８０がある。ＰＡＬ方式の場合、リサンプリン
グ・モジュール１７０’の全体がバイパスされる。ＰＡＬ方式はライン毎に整数のサイク
ル数を有するのでデータのリサンプリングを必要としない。ＮＴＳＣ方式の場合、フィル
タされたＹデータ１８５’はリサンプリング・モジュール１７０’のデマルチプレクサ１
７１に供給される。デマルチプレクサ１７１はアドレス０，１，２，３，４，５，６，７
といった８つのデータ・アドレスを有する。デマルチプレクサ１７１はデマルチプレクサ
１７１のアドレス０〜７におけるＹデータ１８５’を順次バッファ１７２を形成し対応す
る８つの対応バッファ・アドレスのアドレス０〜７に配置する。対応バッファ・アドレス
のアドレス０〜７はＹデータ１８５’をデマルチプレクサ１７１から、さらにＣＬＫＩ１
５０から２６ＭＨｚクロック信号を受けると、データ１８６’をマルチプレクサ１７３に
移す。マルチプレクサ１７３はバッファ１７２からのデータと３２ビットアキュムレータ
１７４’からの３ビット整数ｎを組み合わせる。上述のように、３２ビットアキュムレー
タ１７４’の２９ビットが大きな整数（２29または５３６８７０９１２）を提供するため
に用いられ、正確な比率１６５２．４４４／１６５２（または（１６５２＋４／９）／１
６５２））を提供する。３２ビットのアキュムレータはＣＬＫＩ１５０の経過毎に（１６
５２．４４４／１６５２）＊２29（または（（１６５２＋４／９）／１６５２）＊２29）
増加し、線形補間器としての線形補間モジュール１９０に供給する正確な分数を生成する
。マルチプレクサ１７３はデータ「ｎ」および「ｎ＋１」をデータ・バッファ１８８，１
８９に供する。データ・バッファ１８８，１８９はＹデータ「ｎ」および「ｎ＋１」なら
びにこれらに対応する２６ＭＨｚクロック信号を取り入れ、Ｙデータ「ｎ」および「ｎ＋
１」を線形補間モジュール１９０に供給する。線形補間モジュール１９０に供給されたＹ
データ「ｎ」および「ｎ＋１」は線形補間を行なうために用いられる。線形補間モジュー
ル１９０から出力されたＹデータ１９５’は図４のマルチプレクサ１４５および加算器１
４４に供給される。
【００５８】
上述のように、８つバッファにあるデータが線形補間に用いられる前に安定しているこ
とを保証するために、２つのリセット信号、リセットＡ１８１およびリセットＢ１８２、
はクロック・ギャップを有するように設計される。データがマルチプレクサ１７３で読み
取られる前にデータがデマルチプレクサ１７１に書き込まれていることを保証するために
３ビット整数カウンタ１７５をリセットするリセットＡ１８１は３２ビットアキュムレー
タ１７４’をリセットするリセットＢより２または３クロック早く起こる。３ビットのカ
ウンタは常に３２ビットアキュムレータ１７４’の整数部分より２または３クロック前に
なる。クロック・ギャップは利用可能なバッファ１７２の数により限定される。一実施形
態で、クロック・ギャップはバッファ数の半分未満である。８つのバッファの場合、クロ
ック・ギャップは４未満（または１から３）である必要がある。リセットＡ１８１および
リセットＢ１８２は１段の離散時間型発振器１３０のリセット信号と同じラインで起こる
ように同期化される。リセットＡ１８１およびリセットＢ１８２はＮＴＳＣ方式の場合は
、４フィールド毎に、ＰＡＬ方式の場合は、８フィールド毎に起こる。一実施形態で、す
べてのリセットは累積エラーを避けるために垂直非表示期間（ＶＮＤＰ）の初めに行なわ
れる。
【００５９】
図４および図５に示されるｘＭＨｚクロックは約２６ＭＨｚのクロック周波数を有する
。しかし、２６ＭＨｚおよび２７ＭＨｚ以外で約１８ＭＨｚから２７ＭＨｚ未満の（また
は２７ＭＨｚを越える）範囲のクロック周波数を有するビデオ取り込み装置も実施形態の
概念を利用することができる。加えて上述の実施形態は線形補間を利用するが、帯域制限
された補間および多相フィルタリングなど、他の補間方法も用いることができる。
【００６０】
上述の実施形態は携帯電話などの装置で取り込まれたビデオを、低ジッタ入力クロック
周波数を生成し得る追加クロック・モジュールを用いることなく符号化することを可能に
する方法および装置を提供する。上述の装置および方法はビデオを符号化するためにＰＬ
Ｌを間接的に用いクロック・ジッタに感応しないタイミング制御およびカラーバースト制
御を扱うために２７ＭＨｚクロック周波数を生成するか、または２７ＭＨｚ以外の入力ク
ロックを直接用いる。２７ＭＨｚ以外の入力クロックを追加しないでビデオを符号化する
とビデオ取り込み装置の電力および空間を節約する。ＰＬＬを用いないでビデオを符号化
するとさらにビデオ取り込み装置上の電力および空間を節約する。
【００６１】
前記の発明は明確な理解の目的からかなり詳しく説明されたが、添付クレームの範囲内
で一定の変更および修正を実施できることは明らかであろう。従って、本実施形態は例示
的であり、限定的とはみなされず、発明は本明細書で記述される詳細に限定されず、添付
クレームの範囲および同意義の中で修正することができる。
【図面の簡単な説明】
【００６２】
【図１】テレビ用デジタル・エンコーダの概略図。
【図２】複数のクロック周波数でビデオを符号化するテレビ用エンコーダの代表的実施形態の概略図。
【図３】図２におけるテレビ用エンコーダのビデオ・リサンプリング方法の代表的実施形態の概略図。
【図４】２６ＭＨｚクロック周波数でビデオを符号化するテレビ用エンコーダの代表的実施形態の概略図。
【図５】図４におけるテレビ用エンコーダのビデオ・リサンプリング方法の代表的実施形態の概略図。
【符号の説明】
【００６３】
１０１…ノッチ／ローパス・フィルタ、１０２，１０３…ローパス・フィルタ、１０５
…タイミング／制御ジェネレータ、１０７…カラーバースト制御ジェネレータ、１２０…
Ｙ／コンポジット出力、１２５…色差出力、１３０…色副搬送波信号ジェネレータとして
の１段の離散時間型発振器、１３１…コサインＲＯＭ、１３２…サインＲＯＭ、１３３…
位相調節、１３４…位相ＡｄｊＳｅｌ、１３５，１７４，１７４’…３２ビットアキュム
レータ、１４０…レジスタからのパラメータ、１５７…Ｃｌｋタイミング、１７０…リサ
ンプリング・モジュール、１７０’…リサンプリング・モジュール（１６５２を１６５２
．４４４に拡張）、１７５…ｍビット整数カウンタとしての３ビット整数カウンタ。
【図１】
2008072712.tif 000004
【図２】
2008072712.tif 000005
【図３】
2008072712.tif 000006
【図４】
2008072712.tif 000007
【図５】
2008072712.tif 000008